(57)【要約】【課題】  建築工事や電気工事等の際に各種工具を入れて作業者の腰回りに装着できる腰袋に関し、特に使用を重ねて生地が経たり、軟らかくなって腰袋が変形しても腰袋から工具が飛び出て落下しないような形状の腰袋を提供する。【解決手段】  補強板を取り付けた背布の表面側に少なくとも上縁形状が平面視略半円弧状の胴布を取り付けて前記背布と共に平面視略Ｄ字状の開口部形状を有するポケット部を形成した。背布の背面側であって、前記補強板を取り付けた部分にベルト通しを取り付け、または、補強板にベルト通し孔を設けて腰袋を形成した。【選択図】        図１
2004306244.tif 000002
【特許請求の範囲】
【請求項１】
補強板を取り付けた背布の表面側に少なくとも上縁形状が平面視略半円弧状の胴布を取り付けて前記背布と共に平面視略Ｄ字状の開口部形状を有するポケット部を形成し、前記背布の背面側であって、前記補強板を取り付けた部分にベルト通しを取り付けたことを特徴とする腰袋。
【請求項２】
背面側に補強板を取り付けた背布の表面側に少なくとも上縁形状が平面視略半円弧状の胴布を取り付けて前記背布と共に平面視略Ｄ字状の開口部形状を有するポケット部を形成し、前記補強板にベルト通し孔を設けたことを特徴とする腰袋。
【請求項３】
背面側に設けた保形性のある背布の表面側に補強部を介して胴布を取り付け、前記背布と胴布により上縁形状が平面視矩形状の開口部形状を有するポケット部を形成し、前記背布の上部に柔軟な連結部を介して取り付け板を連設し、該取り付け板へベルト通し部を設けたことを特徴とする腰袋。
【請求項４】
胴布により形成するポケット部には、その前面にポケット部を設け、該ポケット部の下部に小ポケット部を設けたことを特徴とする請求項３記載の腰袋。
【請求項５】
背布及び胴布は芯材をポリエステル繊維布又はナイロン繊維布で挟着被覆したものであることを特徴とする請求項１乃至３記載の腰袋。
【請求項６】
胴布の表面に小ポケットを取り付けたことを特徴とする請求項１乃至４のいずれか一項記載の腰袋。
【発明の詳細な説明】
【技術分野】
【０００１】
この発明は、建築工事や電気工事等の際に各種工具を入れて作業者の腰回りに装着できる腰袋に関し、特に使用を重ねて生地が経たり、軟らかくなって腰袋が変形しても腰袋から工具が飛び出て落下しないような形状の腰袋に関する。
【背景技術】
【０００２】
従来、建築現場等で各種工事を行う作業者は、使用する複数の工具を腰袋１６に入れ、この腰袋１６をベルトに通して腰回りに装着して作業を行っている。
【０００３】
このような腰袋は、丈夫な布製であることが多いが、その形状は図８図示のように平面視で矩形の開口部を有する形状のものがほとんどである。
【０００４】
しかし、図１１図示のような従来の腰袋１６は、多くの工具を収納した状態で使用し続けると当初の形状が崩れてきて、特に図１２において符号１３を付した口部先端側は、ハンマー等の重量がある長尺工具が当接して荷重がかかると矢示１５の方向に伸びようとしてその分だけ下方に下がり、工具が飛び出しやすくなることがあった。特に作業者が腰袋を装着した状態で走ったりするとこのようなことが頻繁に起こり問題であった。
【０００５】
このように口部が変形することにより工具が腰袋から飛び出すことを防止するとともに、使用を重ねても一定の開口部面積を確保して工具を取り出しやすくすべく口部（ポケット口）に骨材を併着して成る作業用腰袋の提案がされている（実開平２−１４９５１４号公報）。
【０００６】
しかし、実開平２−１４９５１４号公報記載の腰袋を始め、従来の多くの腰袋は、背面のベルト通しにベルトを通して作業者１４の腰回りに装着する形態のものであった。ベルト自体は作業者１４の腰回りに密着するものであるが、ベルトにぶら下げられた腰袋自体はベルトの下端付近（符号１６）を軸にして折れ曲がりやすい。
【０００７】
このため、ベルト通し部を何らの補強もすることなくベルトに通して作業者の腰回りに装着すると図９（ｂ）図示のようにベルト通しの下縁付近１６から折れ曲がって、腰袋の口部先端側１３の位置がますます下がり開口部が下を向こうとして工具が飛び出してしまうことがあった。
【特許文献１】実開平２−１４９５１４号公報
【発明の開示】
【発明が解決しようとする課題】
【０００８】
この発明は、前記実用新案公開平成２−１４９５１４号公報記載の作業用腰袋がその目的の一つとしている腰袋からの工具の飛び出し、落下を防止することを目的としている。
【課題を解決するための手段】
【０００９】
この発明は、従来の腰袋では使用を重ねるごとに変形し、位置が下がってきてしまう口部先端側を背布に対して予め膨らませた形状として余裕を持たせ、さらに、ベルト通し部を補強してベルト通しの下縁付近から折れ曲がらないようにして口部先端側の位置が下がることを防止し、前記問題を解決したのである。
【００１０】
また胴布の前面にポケット部を設け、その下部に小ポケット部を設けることによって前面を補強し、前記従来の問題点を解決したのである。
【００１１】
すなわちこの発明は、補強板を取り付けた背布の表面側に少なくとも上縁形状が平面視略半円弧状の胴布を取り付けて前記背布と共に平面視略Ｄ字状の開口部形状を有するポケット部を形成し、前記背布の背面側であって、前記補強板を取り付けた部分にベルト通しを取り付けたことを特徴とする腰袋である。
【００１２】
次に他の発明は、背面側に設けた保形性のある背布の表面側に補強部を介して胴布を取り付け、前記背布と胴布により上縁形状が平面視矩形状の開口部形状を有するポケット部を形成し、前記背布の上部に柔軟な連結部を介して取り付け板を連設し、該取り付け板へベルト通し部を設けたことを特徴とする腰袋であり、胴布により形成するポケット部には、その前面にポケット部を設け、該ポケット部の下部に小ポケット部を設けたものである。
【００１３】
また、他の発明は、背面側に補強板を取り付けた背布の表面側に少なくとも上縁形状が平面視略半円弧状の胴布を取り付けて前記背布と共に平面視略Ｄ字状の開口部形状を有するポケット部を形成し、前記補強板にベルト通し孔を設けたことを特徴とする腰袋である。
【００１４】
前記背布及び胴布は芯材をポリエステル繊維布又はナイロン繊維布で挟着被覆したものとすることができる。また、前記胴布の表面に小ポケットを取り付けることができる。
【００１５】
なお、ベルト通しを補強板を取り付けた部分に取り付ける場合、すなわち、補強板にベルト通し孔を設けない場合には、補強板をポリエステル繊維布又はナイロン繊維布等の布材で挟着被覆する構成とすることができ、また、背布を芯材をポリエステル繊維布又はナイロン繊維布で挟着被覆したものとするときは、補強板と芯材とを重ね、これらをポリエステル繊維布又はナイロン繊維布で挟着被覆する構成とすることができる。
【００１６】
要するに、補強板にベルト通し孔を設けない場合には、補強板は、背布の表面側、背面側のいずれに配置されていてもよく、また、布材で挟着被覆された状態であってもよい。
【発明の効果】
【００１７】
この発明によると、腰袋のポケット部の形状を、平面視略Ｄ字状の開口部形状をとしたので、使用を重ねて布材が軟らかくなってきても工具の重み等によって開口部先端側の垂直方向位置が下がることがなく、腰袋から工具が飛び出すことがない。
【００１８】
また、背布に補強板を取り付け、当該補強板を取り付けた部分にベルト通しを取り付け、又は、補強板にベルト通し孔を設けたので、腰袋がベルトの下端付近で折れ曲がることを防止でき、これにより開口部先端側の垂直方向位置が下がることを防止できる効果がある。
【００１９】
また、この発明の腰袋を構成する背布及び胴布は芯材をポリエステル繊維布又はナイロン繊維布で被覆したものとすることができる。すなわち、この発明の腰袋は形状を工夫することによって工具の飛び出し、落下を防止できたので、従来用いられている素材を用いることができる。
【００２０】
さらに、胴布の表面に小ポケットを取り付けたので、ポケット部に収容できない工具や、携帯電話等を小ポケットに収容して作業することができる。
【発明を実施するための最良の形態】
【００２１】
この発明は、補強板を取り付けた背中の裏面側に上縁形状が平面視略半円弧状の胴布を取り付けて、前記背中と共に平面視略Ｄ字状の開口部形状を有するポケット部を形成し、前記背中の背面側であって、前記補強板を取り付けた部分に縦切込みを入れてベルト通しを取り付けることにより、この発明の腰袋を構成した。
【実施例１】
【００２２】
この発明の腰袋の好ましい実施の形態について図面に基づいて説明する。
【００２３】
この発明の腰袋１は、図示のように半円形の底布３の直線部分を背布２の表面側下縁に縫いつけると共に、底布３の円弧を覆うように胴布４を底布３と背布２に縫いつけ、さらに、背布２の裏面の上半分程度に補強板５を取り付け当該補強板５の上縁部に２つのループ状のベルト通し６、６を取り付けて構成した。また、胴布４の表面には小ポケット７、７を取り付けた。
【００２４】
胴布４は、図３（ｃ）で、図３（ｂ）における胴布４の点線で囲った部分Ｂを拡大して示したように、ＥＶＡ樹脂製の芯材４ｂをポリエステル繊維布４ａ、４ａで被覆し、サンドイッチ状として使用した。背布２、底布３、についても同様に、ＥＶＡ樹脂製の芯材をポリエステル繊維布で被覆し、サンドイッチ状として使用した。
【００２５】
胴布４は、長方形の布材を上縁４ａが平面視略半円弧状となるように湾曲させ、下端部は半円形の底布３の円弧を覆うようにして背布２に縫いつける。胴布４をこのように縫いつけることによって、背布２、底布３、胴布４によって平面視略Ｄ字状の開口部形状を有するポケット部８を形成することができる。
【００２６】
補強板５は、使用を重ねた腰袋１がベルト通し６、６の下縁６ａ、６ａ付近で折れ曲がることがないように、ベルト通し６、６の下縁６ａ、６ａよりも下方まで縁設しておく。
【００２７】
以上のように構成した腰袋１は、図６図示のようにベルト通し６、６にベルトを通して作業者の腰回りに装着する。ここで、腰袋１を装着するベルト１０は、ベルト１０が作業者の腰骨への食い込み等を防止する補助ベルト（不図示）のベルト通しに等して重ねて使用する。このときベルト１０にはショックアブソーバ等の保安部品（不図示）を装着するので、腰袋１を装着できるスペースが限られ、さらに、ベルト１０は補助ベルトのベルト通しに通すので前記スペースも捕助ベルトのベルト通しで分断される。このため、例えば腰袋の背布の上端を折り返して、腰袋のほぼ全幅に亘って形成したベルト通しであると、腰袋をベルトに装着することが困難である場合がある。
【００２８】
しかし、図示の腰袋１では、２つのベルト通し６、６を設けているので、補助ベルトのベルト通しが腰袋１のベルト通し６、６の間に位置するように、すなわち、補助ベルトのベルト通しを跨ぐようにして腰袋１をベルト１０に装着することができる。
【００２９】
使用者１４の腰周りに装着された腰袋１には、各種工具が収容されることとなる。腰袋１は各種工具を収容して作業を行っていると胴布４は次第に軟らかくなって来るが、胴布４によって平面視略Ｄ字状の開口部形状を有するポケット部８を形成し、予め口部先端側１３を背布２に対して予め膨らませた形状として余裕を持たせてあるので図６中点線１２で示した水平の位置から下方に下がるおそれがない。
【００３０】
さらに、補強板５を、ベルト通し６、６の下縁６ａ、６ａよりも下方まで縁設してあるので、腰袋１の使用を重ねて背布２が次第に軟らかくなってきてもベルト通し６、６の下縁６ａ、６ａ付近で折れ曲がることがなく、作業者１４が起立した状態でほぼ図６中符号１１で示した垂直方向を保ち、胴布４の口部先端側１３が水平（符号１２）の位置から下方に下がるおそれがない。
【００３１】
これらのことが相俟って、腰袋１内の工具は腰袋１から飛び出て落下することがない。
【００３２】
以上、この発明の好ましい実施の形態を添付図面を参照して説明したが、この発明はかかる実施の形態に限定されるものではなく、特許請求の範囲の記載から把握される技術的範囲において種々な形態に変更可能である。
【００３３】
例えば、図１〜図６図示の腰袋１では補強板５の背面に２つのベルト通し６、６を装着していたが、これらのベルト通し６、６に代えて、補強板５に直接ベルト通し孔９、９を設けてこのベルト通し孔９、９にベルトを通して使用することもできる。
【００３４】
ベルト通し孔９、９を補強板５に直接設ける構成としても、腰袋１は、ベルト１０の下端付近で折れ曲がることがないので口部先端側１３が下がることがなく、腰袋に収容した各種工具が飛び出て落下することがない。
【００３５】
また、補強板５に作業者１４の腰回りの形状に沿ったＲ（カーブ）をつけて腰袋１と作業者１４との密着度を高めるようにすることもできる。
【００３６】
さらに、胴布４の形状を、より工具が飛び出しにくい形状とすべく、基端側（背布２側）より口部先端側１３が高い形状とすることもできる。
【００３７】
なお、腰袋１を構成する各構成部分の材質は、できるだけ耐久性に優れるものが望ましいが、前記の形状を実現できるものであれば、どのようなものであってもよい。
【実施例２】
【００３８】
この発明の他の実施例を図８、９、１０に基づいて発明する。この発明は、芯材１６ｃを強靭な表布１６ａと、裏布１６ｂにより挟着固定して（図１０）、背布１６を形成し、該背布１６の表面側に平面視矩形状に胴布１７を固定し主ポケット１５を形成し、前記胴布１７の前面へポケット布１８を固定して、ポケット１８ａとし、ポケット布１８の下部前面へ小ポケット布１９を固定して小ポケット１９ａ、１９ｂ、１９ｃを設ける。
【００３９】
前記胴布１７は、芯材１７ｃを表布１７ａと裏布１７ｂで挟着してある。
【００４０】
前記背布１６の上端部には、柔軟な連結布２０を介して取り付け布２１を連設し、該取り付け布２１の左右両端部へ、ベルト通し用の金具２２、２２を固定し、前記ポケット部及びその口部へ補強条２３、２４を夫々固着して、腰袋２５を構成した。前記取り付け布２１は、表布２１ａ、裏布２１ｂ、芯材２１ｃにより構成してある。図中２６はベルト、２７はロープ用金具、２８は底布である。
【００４１】
前記芯材は例えばＥＶＡ樹脂製であり、表布及び裏布は例えばポリエステル繊維布であり、補強条は例えばポリエステル繊維布である。
【００４２】
前記実施例によれば、主ポケット１５が平面視矩形状であっても、背布１６と表布１７が三層になっており、かつ表布１７にはポケット布１８によりポケット１８ａを形成し、更に小ポケット布１９により小ポケット１９ａ、１９ｂ、１９ｃを形成したので、前記ポケット布１８、小ポケット布１９とその縁布１７ｄ、１９ｄが表布などを補強することになり、表布１７の変形を防止している。
【００４３】
前記実施例においては、柔軟な連結布２０を設けたので、作業者が腰掛けて、腰袋が持ち上がることがあっても、連結布２０が変形し、腰袋の移動により不都合を生じるおそれはない。
【図面の簡単な説明】
【００４４】
【図１】この発明の腰袋の実施の形態の拡大斜視図。
【図２】同じく正面図。
【図３】（ａ）同じく、右側面図、（ｂ）（ａ）中、Ａ−Ａ断面図、（ｃ）（ｂ）中、Ｂで囲んだ部分の拡大説明図。
【図４】（ａ）同じく、平面図、（ｂ）同じく、底面図。
【図５】同じく、背面図。
【図６】使用状態の説明図。
【図７】他の実施の形態の背面図。
【図８】同じく他の実施例の表側斜視図。
【図９】同じく他の実施例の裏側斜視図。
【図１０】同じく断面図。
【図１１】従来の腰袋の斜視図。
【図１２】（ａ）従来の腰袋が使用を重ねることによって開口部先端側の垂直位置が下がってきた状態の説明図、（ｂ）同じく、従来の腰袋が使用を重ねることによってベルトの下端部付近から折れ曲がった状態の説明図。
【符号の説明】
【００４５】
１  腰袋
２  背布
３  底布
４  胴布
５  補強板
６  ベルト通し
７  小ポケット
８  ポケット部
９  ベルト通し孔
１０  ベルト
【図１】
2004306244.tif 000003
【図２】
2004306244.tif 000004
【図３】
2004306244.tif 000005
【図４】
2004306244.tif 000006
【図５】
2004306244.tif 000007
【図６】
2004306244.tif 000008
【図７】
2004306244.tif 000009
【図８】
2004306244.tif 000010
【図９】
2004306244.tif 000011
【図１０】
2004306244.tif 000012
【図１１】
2004306244.tif 000013
【図１２】
2004306244.tif 000014